(57)【要約】【課題】液晶パネルのエッジ部に配置された光源の発熱による装置内の温度上昇を抑制することのできる液晶表示装置及びテレビジョン受像機を提供すること。【解決手段】液晶パネルにおける既定の上端部又は下端部のいずれか一方に配置され，前記液晶パネルの背面に設けられた導光板を通じて該液晶パネルを照明する光源を備えてなる液晶表示装置であって，前記液晶パネルにおける前記光源の位置を検出し（Ｓ１）、その検出された前記光源の位置が前記既定の上端部又は下端部と上下逆の位置であることを条件に（Ｓ２のＹｅｓ側），その旨の報知（Ｓ３）及び前記光源の輝度低下（Ｓ７）のいずれか一方又は両方を実行する。【選択図】図４
2012181399.tif 000002
【特許請求の範囲】
【請求項１】
液晶パネルにおける既定の上端部又は下端部のいずれか一方に配置され，前記液晶パネルの背面に設けられた導光板を通じて該液晶パネルを照明する光源を備えてなる液晶表示装置であって，
前記液晶パネルにおける前記光源の位置を検出する光源位置検出手段と，
前記光源位置検出手段により検出された前記光源の位置が前記既定の上端部又は下端部と上下逆の位置であることを条件に，その旨の報知及び前記光源の輝度低下のいずれか一方又は両方を実行する高温対策手段と，
を備えてなることを特徴とする液晶表示装置。
【請求項２】
前記高温対策手段が，前記光源の輝度を徐々に低下させるものである請求項１に記載の液晶表示装置。
【請求項３】
前記高温対策手段が，前記報知を所定期間ごとに繰り返し実行するものである請求項１又は２のいずれかに記載の液晶表示装置。
【請求項４】
前記光源が、前記液晶パネルの上端部又は下端部に沿って配列された複数のＬＥＤである請求項１〜３のいずれかに記載の液晶表示装置。
【請求項５】
請求項１〜４のいずれかに記載の液晶表示装置を備えてなるテレビジョン受像機。
【発明の詳細な説明】
【技術分野】
【０００１】
本発明は，液晶パネルの一辺に並設された複数のＬＥＤにより該液晶パネルを照明する所謂エッジ型バックライトを備えた液晶表示装置及びテレビジョン受像機に関するものである。
【背景技術】
【０００２】
近年，液晶テレビジョン受像機などの液晶表示装置では，光源にＬＥＤを用いることにより省エネルギー化を図るＬＥＤバックライトが用いられる。特に，液晶パネルの上端部及び下端部に複数のＬＥＤを並べて配置する所謂エッジ型バックライトは薄型化が可能である（例えば特許文献１参照）。
また，液晶パネルの上端部又は下端部のいずれか一辺のみにＬＥＤが配置されることがある。ここで，ＬＥＤを用いたエッジ型バックライトでは，ＬＥＤが高輝度で用いられて高温になる。そのため，液晶パネルの上端部又は下端部のいずれか一辺が高温となることを前提として液晶表示装置全体の放熱設計が行われる。
具体的に，液晶パネルの上端部又は下端部のいずれにＬＥＤが配置される場合であっても，そのＬＥＤの熱を製品のシャーシ（筐体）へ放熱させる構造が望ましい。さらに，液晶パネルの下端部の一辺にＬＥＤが配置される構成では，例えばＬＥＤの熱を自然対流により装置内に分散する構造が好適であり，その場合は装置内は自然対流をスムーズに行うような空気の流れを妨げない構造となる。他方，液晶パネルの上端部の一辺にＬＥＤが配置される構成では，例えばＬＥＤの熱を筐体の上方の開口から放熱させる構造が好適であり，その場合は装置の上部の開口部を大きく取り，熱が下部に伝達しにくい構造となる。このように，ＬＥＤの配置位置が液晶パネルの上端部であるか下端部であるかによって好適な放熱構造は異なる。
【先行技術文献】
【特許文献】
【０００３】
【特許文献１】特開２００４−７９４８８号公報
【発明の概要】
【発明が解決しようとする課題】
【０００４】
ところで，近年では，ワイヤレス通信により無線で映像データなどを送受信する技術が一般化され，電子書籍，ＰＣタブレット及びテレビジョン受像機などを自由に持ち運んで使用する環境が整備されつつある。このような構成では，液晶パネルの上端部又は下端部のいずれか一方に配置されたＬＥＤの位置は，液晶パネルが任意の姿勢で用いられることにより任意に変化することになる。そのため，ＬＥＤの位置が本来想定された位置と逆の位置に配置されると，事前に設計された放熱特性を発揮させることができなくなり，装置内部が高温になるおそれがある。
従って，本発明は前記事情に鑑みてなされたものであり，その目的とするところは，液晶パネルのエッジ部に配置された光源の発熱による装置内の温度上昇を抑制することのできる液晶表示装置及びテレビジョン受像機を提供することにある。
【課題を解決するための手段】
【０００５】
前記目的を達成するために本発明は，液晶パネルにおける既定の上端部又は下端部のいずれか一方に配置され，前記液晶パネルの背面に設けられた導光板を通じて該液晶パネルを照明する光源を備えてなる液晶表示装置であって，前記液晶パネルにおける前記光源の位置を検出する光源位置検出手段と，前記光源位置検出手段により検出された前記光源の位置が前記既定の上端部又は下端部と上下逆の位置であることを条件に，その旨の報知及び前記光源の輝度低下のいずれか一方又は両方を実行する高温対策手段と，を備えてなることを特徴とする液晶表示装置。ここに，例えば前記光源は前記液晶パネルの上端部又は下端部に沿って配列された複数のＬＥＤである。
これにより，例えば当該液晶表示装置の上下（天地）が反転された状態で使用されていることがユーザーに報知される場合には，本来の状態に戻して使用すべきことを促すことができ，当該液晶表示装置の放熱特性を有効に利用して当該液晶表示装置の内部温度の上昇を抑制することができる。また，当該液晶表示装置の上下が反転された状態で使用されている場合に前記光源の輝度を自動的に低下させれば光源の消費電力が減少し，より確実に当該液晶表示装置の内部温度の上昇を抑制することができる。さらに，当該液晶表示装置の上下が反転された状態で使用されていることをユーザーに報知すると共に前記光源の輝度を自動的に低下させれば，液晶パネルの表示映像の輝度の低下の原因を故障と勘違いすることを防止できる。
【０００６】
また，前記光源の輝度が自動的に急激に低下すると当該液晶表示装置の故障が疑われる。そこで，前記高温対策手段は，前記光源の輝度を徐々に低下させるものであることが望ましい。
さらに，前記高温対策手段が，前記報知を所定期間ごとに繰り返し実行するものであれば，ユーザーが該報知を見逃した場合でもその後にユーザーに認識させることができる。
ところで，本発明は，上述の映像表示装置を備えてなるテレビジョン受像機の発明として捉えることも可能である。
【発明の効果】
【０００７】
本発明によれば，液晶パネルのエッジ部に配置された光源の発熱による装置内の温度上昇を抑制することのできる液晶表示装置及びテレビジョン受像機を提供することができる。
【図面の簡単な説明】
【０００８】
【図１】本発明の実施の形態に係るテレビジョン受像機の概略構成を示す模式図。
【図２】本発明の実施の形態に係るテレビジョン受像機の詳細構成を示すブロック図。
【図３】モニタ部の映像表示部の構成例を示す模式図。
【図４】モニタ部で実行される高温対策処理の手順の一例を示すフローチャート。
【図５】モニタ部で実行される高温対策処理の実行結果の一例を説明するための模式図。
【発明を実施するための形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
まず，図１を参照しつつ，本発明の実施の形態に係るテレビジョン受像機Ｘの外観構成について説明する。なお，本発明は，例えばパーソナルコンピュータ等に用いられるディスプレイ装置や，携帯電話などの携帯型端末などの液晶表示装置にも適用可能である。
図１に示すように，本発明の実施の形態に係るテレビジョン受像機Ｘは，映像を表示するモニタ部１（液晶表示装置の一例）と，該モニタ部１が着脱可能なクレードル部２とを備えている。ここに，図１（ａ）はモニタ部１をクレードル部２にセットした状態，図１（ｂ）はモニタ部１をクレードル部２から取り外した状態を示している。
【００１０】
クレードル部２は，テレビジョン放送局からテレビジョン放送信号を受信するための放送受信アンテナ３に接続されている。そして，クレードル部２は，放送受信アンテナ３から受信したテレビジョン放送信号を有線通信又は電波による無線通信でモニタ部１に入力する。これにより，モニタ部１は，入力されたテレビジョン放送信号に基づいてテレビ番組の映像を表示する。
なお，クレードル部２は，商用交流電源４に接続され，該商用交流電源４から供給される電力によって駆動する。一方，モニタ部１は，商用交流電源に接続されず，該モニタ部１に搭載された二次電池などから供給される電力によって駆動する。前記二次電池は，モニタ部１がクレードル部２に装着されることにより充電される。また，クレードル部２からモニタ部１に対して無線で電力を供給する無線電力伝送技術を採用してもよい。もちろん，モニタ部１が商用交流電源に接続可能である構成も考えられる。
【００１１】
続いて，図２を参照しつつモニタ部１及びクレードル部２の詳細構成につて説明する。
図２に示すように，クレードル部２は，メイン制御部２１，無線送受信部２２，有線接続検出部２３，映像処理部２４，音声処理部２５，チューナ２６，外部入力部２７，信号切換部２８，ＯＳＤ制御部２９，有線インターフェース３０などを備えている。
メイン制御部２１は，ＣＰＵ，ＲＡＭ，ＲＯＭなどの制御機器を有しており，所定の制御プログラムに従って当該クレードル部２を統括的に制御するものである。なお，メイン制御部２１は，ＡＳＩＣなどの電気回路であってもよい。
【００１２】
チューナ２６は，放送受信アンテナ３から地上デジタル放送やＢＳ・ＣＳ放送などの各種テレビジョン放送の複数チャンネル分の映像信号及びその映像と同期した音声信号が重畳された信号（以下，放送信号という）を受信する。そして，チューナ２６は，メイン制御部２１から指示された放送チャンネルの信号を前記放送信号から抽出（選局）するとともに，その抽出信号の検波によって映像信号及び音声信号を取り出し，その映像信号及び音声信号を信号切換部２８に入力する。
また，外部入力部２７は，外部から入力されるコンポジット方式の映像信号及び音声信号や，セパレート方式の映像信号及び音声信号（いわゆるＳ端子の信号）等を信号切換部２８に入力するインターフェースである。外部入力部２７には，例えばＤＶＤレコーダやブルーレイレコーダ，ハードディスクレコーダなどの映像再生装置Ｙが接続される。
信号切換部２８は，メイン制御部２１からの制御指示に従って選択したチューナ２６及び外部入力部２７のいずれか一方から入力される映像信号及び音声信号を映像処理部２４及び音声処理部２５に入力する。
【００１３】
また，ＯＳＤ制御部２９は，メイン制御部２１からの制御指示に従って，メニュー表示や電子番組表，各種のステータス情報（音量，表示チャンネル等）など，モニタ部１で映像に重畳して表示させるＯＳＤ情報を映像処理部２４に入力する。
映像処理部２４は，映像信号から水平同期信号及び垂直同期信号の分離，その同期信号に位相同期したクロック信号の生成，映像信号からの輝度信号及び色信号の分離，所定の画質改善処理などの各種映像処理を行い，その処理後の映像信号を出力するものである。また，映像処理部２４は，ＯＳＤ制御部２９からＯＳＤ情報が入力されている場合，そのＯＳＤ情報を表示映像に重畳して表示するための映像信号を生成するＯＳＤ表示機能も有している。
【００１４】
音声処理部２５は，例えば入力される音声信号に対してイコライズ処理やサラウンド処理等の各種信号処理を施し，その処理後の音声信号を出力するものである。
そして，映像処理部２４及び音声処理部２５から出力された映像信号及び音声信号は，無線送受信部２２及び有線インターフェース３０のそれぞれに入力される。
【００１５】
無線送受信部２２は，アンテナ２２ａを通じて電波の送受信を行うことによりモニタ部１の無線送受信部１２との間で無線データ通信を実現する通信モデム機能を有している。前記通信モデム機能は，例えば無線ＬＡＮ等にも用いられるＩＥＥＥ８０２．１１規格などに準拠したＯＦＤＭ（Orthogonal Frequency-Division Multiplexing）無線方式による無線通信を実現する。なお，この無線通信の周波数には，例えば２．４ＧＨｚ帯や５ＧＨｚ帯などが用いられる。
具体的に，無線送受信部２２は，メイン制御部２１からの制御指示に応じて，映像処理部２４及び音声処理部２５から出力される映像信号や音声信号などのデータを無線通信によりモニタ部１に送信する。例えば，映像信号及び音声信号はＭＰＥＧ２などの映像圧縮フォーマットで伝送される。
【００１６】
有線インターフェース３０は，モニタ部１がクレードル部２に装着されることにより，モニタ部１の有線インターフェース１８に接続される接続端子を有している。また，有線インターフェース３０には，接続端子を介してモニタ部１との間で有線データ通信を実現するモデム機能なども含まれる。具体的に，有線インターフェース３０は，メイン制御部２１からの制御指示に応じて，映像処理部２４及び音声処理部２５から出力される映像信号や音声信号などのデータを有線通信によりモニタ部１に送信する。
【００１７】
有線接続検出部２３は，有線インターフェース３０が，モニタ部１の有線インターフェース１８に接続されているか否か，即ちモニタ部１及びクレードル部２が有線接続されているか否かを検出する。なお，有線接続検出部２３による接続の有無の検出手法は，従来の各種の断線検知技術などを利用することが可能である。そして，有線接続検出部２３による検出結果は，メイン制御部２１に入力される。前記検出結果は，メイン制御部２１において，モニタ部１との間で有線通信及び無線通信のいずれによりデータ通信を行うかなどの判断に利用される。
【００１８】
一方，モニタ部１は，メイン制御部１１，無線送受信部１２，データ処理部１３，映像処理部１４，音声処理部１５，映像表示部１６，傾斜角センサ１６３（傾き検出手段の一例），左スピーカ１７１，右スピーカ１７２，有線インターフェース１８などを備えている。
メイン制御部１１は，ＣＰＵ，ＲＡＭ，ＲＯＭなどの制御機器を有しており，所定の制御プログラムに従って当該モニタ部１を統括的に制御するものである。なお，メイン制御部１１は，ＡＳＩＣなどの電気回路であってもよい。
【００１９】
無線送受信部１２は，アンテナ１２ａを通じて電波の送受信を行うことによりクレードル部２の無線送受信部２２との間で無線データ通信を実現する通信モデム機能を有している。前記通信モデム機能は，例えば無線ＬＡＮ等にも用いられるＩＥＥＥ８０２．１１規格などに準拠したＯＦＤＭ（Orthogonal Frequency-Division Multiplexing）無線方式による無線通信を実現する。なお，この無線通信の周波数には，例えば２．４ＧＨｚ帯や５ＧＨｚ帯などが用いられる。具体的に，無線送受信部１２は，クレードル部２から送信された映像信号や音声信号などのデータを無線通信により受信し，該データをデータ処理部１３に入力する。
データ処理部１３は，無線送受信部１２から入力されるＭＰＥＧ２などの映像圧縮フォーマットのデータを復号するデコーダである。そして，データ処理部１３で復号された映像信号及び音声信号は，映像処理部１４及び音声処理部１５に入力される。
【００２０】
有線インターフェース１８は，モニタ部１がクレードル部２に装着されることにより，クレードル部２の有線インターフェース３０に接続される接続端子を有している。また，有線インターフェース１８には，接続端子を介してクレードル部２との間で有線データ通信を実現するモデム機能なども含まれる。具体的に，有線インターフェース１８は，モニタ部１から送信される映像信号や音声信号などのデータを有線通信により受信し，該映像信号及び音声信号を映像処理部１４及び音声処理部１５に入力する。
【００２１】
音声処理部１５は，データ処理部１３又は有線インターフェース１８から入力された音声信号に対し，ボリューム調整やイコライズ処理，サラウンド処理などの各種の音声処理を施し，その処理後の音声信号を左スピーカ１７１及び右スピーカ１７２に入力するものである。これにより，左スピーカ１７１及び右スピーカ１７２は，音声処理部１５から入力された音声信号に基づいて音声を再生する。
【００２２】
一方，映像処理部１４は，ＣＰＵやＭＰＵ等の演算手段を有しており，データ処理部１３又は有線インターフェース１８から入力される映像信号に対し，例えばスケーリング処理や解像度変換処理などの各種の画像処理を施し，その処理後の映像信号を映像表示部１６に入力する。これにより，映像表示部１６は，入力された映像信号に基づいて映像を表示する。
【００２３】
映像表示部１６は，図２及び図３に示すように，液晶パネル１６１及びバックライト１６２などを有している。ここに，図３は，映像表示部１６の内部構造を示す模式図であって，（ａ）は正面図，（ｂ）は側面図である。
液晶パネル１６１は，液晶層と該液晶層に走査信号及びデータ信号を印加するための走査電極及びデータ電極とによって形成され，印加電圧により透過率が変化する複数の液晶素子を有する従来周知のアクティブマトリクス型の液晶パネルである。なお，液晶パネル１６１の背面にはバックライト１６２からの光を拡散する拡散板や光学シート等の光学部材１６１ａが設けられている。なお，液晶パネル１６１のアスペクト比（横縦比）は例えば１６：９である。また，映像表示部１６には，映像処理部１４から入力された映像信号，垂直同期信号及び水平同期信号に基づいて液晶パネル１６１の液晶素子の駆動を制御する液晶駆動回路（不図示）なども設けられている。
【００２４】
バックライト１６２は，図３に示すように，液晶パネル１６１の背面に設けられた導光板１６２ｄと，液晶パネル１６１における既定の下端部に沿って並べて配置され，導光板１６２ｄを通じて該液晶パネル１６１を照明する複数のＬＥＤ１６２ａ（光源の一例）とを備えた所謂エッジ型のバックライトである。なお，ＬＥＤ１６２ａ各々は，該ＬＥＤ１６２ａが搭載された基板１６２ｂを介して，放熱性の高い金属製の放熱板１６２ｃに固定されている。ここで，ＬＥＤ１６２ａの発光輝度と消費電力との関係は，ほぼ比例関係であり，ＬＥＤ１６２ａの発光輝度を下げると消費電力も減少し，ＬＥＤ１６２ａの発熱量もそれに応じて減少する。
また，放熱板１６２ｃは，モニタ部１の映像表示部１６の外装を形成する金属製のシャーシ（筐体）１６ａに固定されている。シャーシ１６ａは，放熱性の高い金属製であり，該シャーシ１６ａと放熱板１６２ｃとは熱的に結合されている。従って，ＬＥＤ１６２ａの熱は，放熱板１６２ｃを介してシャーシ１６ａに導かれて効果的に放熱される。また，ＬＥＤ１６２ａがモニタ部１の下端部に配置されているため，該ＬＥＤ１６２ａの熱は，自然対流により上方に向けてモニタ部１内部に分散され，該モニタ部１内の局所的な温度上昇が抑制される。
【００２５】
傾斜角センサ１６３は，例えばバックライト１６２のＬＥＤ基板１６２ｂに設けられており，液晶パネル１６１におけるＬＥＤ１６２ａの位置を検出するものである。もちろん，傾斜角センサ１６３の設置位置は，液晶パネル１６１におけるＬＥＤ１６２ａの位置を検出することのできる位置であればこれに限定されない。なお，傾斜角センサ１６３は，例えば加速度センサやジャイロセンサ，上下が反転されることによりＯＮ／ＯＦＦする上下検出スイッチなどの従来周知のセンサである。
具体的に，傾斜角センサ１６３は，図３（ａ）に示すように，液晶パネル１６１における既定の下端部にＬＥＤ１６２ａが位置しており，ＬＥＤ基板１６２ｂが水平方向と平行である状態を０°として，該液晶パネル１６１の表示面に対向する位置から見たときの該表示面の右回りの回転角を検出するものとする。そして，傾斜角センサ１６３による検出結果は，メイン制御部１１に入力される。
【００２６】
なお，映像処理部１４は，傾斜角センサ１６３により検出された液晶パネル１６１の傾きをメイン制御部１１から取得し，該傾きに応じて液晶パネル１６１に表示させる映像の表示角度を変更する。例えば，液晶パネル１６１が９０°回転している場合，映像処理部１４は，表示映像を−９０°回転させた状態で液晶パネル１６１に表示させ，液晶パネル１６１が１８０°回転している場合，映像処理部１４は，表示映像を−１８０°回転させた状態で液晶パネル１６１に表示させる。これにより，液晶パネル１６１に表示される映像における上下方向は鉛直方向の上下方向と常に一致することになる。
【００２７】
ところで，モニタ部１のように液晶パネル１６１の下端部にのみＬＥＤ１６２ａが配置された構成では，該ＬＥＤ１６２ａの熱が自然対流によりモニタ部１内に分散されるように放熱特性が設計される。しかしながら，例えば，モニタ部１に接続する電源線や信号線の引き出し位置と，該モニタ部１の左側面又は右側面に設けられた電源線や信号線の接続端子との位置関係によって，ユーザーはモニタ部１の向きを都合のよいように変更することが考えられる。そして，モニタ部１の姿勢が自由に変化されると，ＬＥＤ１６２ａの位置が液晶パネル１６１の下端部ではなく上下逆の上端部に位置する可能性がある。この場合には当初設計された放熱特性を発揮することができなくなる。
そのため，モニタ部１では，メイン制御部１１により後述の高温対策処理を実行することによりモニタ部１内の温度上昇を抑制する。
以下，図４のフローチャートを参照しつつ，メイン制御部１１で実行される高温対策処理の手順の一例について説明する。ここに，図４中のＳ１，Ｓ２…は処理手順（ステップ）番号を表す。なお，メイン制御部１１は，ユーザーによる操作入力に応じて当該高温対策処理の実行の有無を変更可能である。
【００２８】
（ステップＳ１）
まず，ステップＳ１において，メイン制御部１１は，傾斜角センサ１６３により検出される現在の液晶パネル１６１の傾きに応じて，液晶パネル１６１におけるＬＥＤ１６２ａの位置を検出する。具体的に，メイン制御部１１は，傾斜角センサ１６３による検出結果に基づいて，ＬＥＤ１６２ａが液晶パネル１６１の上端部又は下端部のいずれかに位置するかを検出する。ここに，係る検出処理を実行するときのメイン制御部１１が光源位置検出手段に相当する。
【００２９】
（ステップＳ２）
そして，ステップＳ２において，メイン制御部１１は，ＬＥＤ１６２ａが液晶パネル１６１の既定の下端部に位置するか否かを判断する。即ち，メイン制御部１１は，モニタ部１においてＬＥＤ１６２ａが本来の位置と上下逆の位置にあるか否かを判断する。
ここで，図５（ａ）に示すようにＬＥＤ１６２ａの位置が上下逆でないと判断されると（Ｓ２のＮｏ側），処理は前記ステップＳ１に戻され，図５（ｂ）に示すようにＬＥＤ１６２ａの位置が上下逆であると判断されると（Ｓ２のＹｅｓ側），処理はステップＳ３に移行する。
【００３０】
（ステップＳ３）
ステップＳ３において，メイン制御部１１は，映像処理部１４に制御指示を与えることにより，モニタ部１の姿勢が本来の位置と上下逆である旨を通知するための警告を液晶パネル１６１に表示させる。このとき，警告表示の内容は，例えば「画面上下を反転下さい」であることが考えられる（図５（ｂ）参照）。これにより，ユーザーにモニタ部１の姿勢が上下逆であることを認識させ，モニタ部１を既定の姿勢に戻すことを促すことができる。従って，モニタ部１におけるＬＥＤ１６２ａの位置が上下正しい状態となり，該モニタ部１のＬＥＤ１６２ａの放熱特性が活かされ，該モニタ部１内の温度上昇が抑制されることを期待できる。ここに，係る表示処理を実行するときのメイン制御部１１が高温対策手段に相当する。
【００３１】
（ステップＳ４〜Ｓ５）
次に，ステップＳ４〜Ｓ５において，メイン制御部１１は，前記ステップＳ１〜Ｓ２と同様に，液晶パネル１６１に対するＬＥＤ１６２ａの位置を検出し，ＬＥＤ１６２ａの位置が既定の位置に対して上下逆であるか否かを判断する。
ここで，ＬＥＤ１６２ａの位置が上下逆であると判断されると（Ｓ５のＹｅｓ側），処理はステップＳ６に移行し，上下逆でないと判断されると（Ｓ５のＮｏ側），処理は前記ステップＳ５１に移行する。
【００３２】
（ステップＳ６〜Ｓ７）
ステップＳ６において，メイン制御部１１は，ＬＥＤ１６２ａの位置が上下逆であることが検出された後，予め設定された所定時間（例えば数秒間）が経過したか否かを判断する。なお，このときの計時時間は，後述のステップＳ７又はステップＳ５１でリセットされる。
ここで，ＬＥＤ１６２ａの位置が上下逆である状態が所定時間継続したと判断すると（Ｓ６のＹｅｓ側），処理はステップＳ７に移行する。そして，ステップＳ７では，メイン制御部１１はＬＥＤ１６２ａの輝度を自動的に所定値下げ，処理を前記ステップＳ３に移行させる。ここに，係るＬＥＤの輝度低下処理を実行するときのメイン制御部１１が高温対策手段に相当する。
これにより，ＬＥＤ１６２ａの発熱量が抑制されるため，モニタ部１内の温度上昇を抑制することができる。ここで，前記所定値は，例えば現在のＬＥＤ１６２ａの輝度の５％程度であることが考えられる。５％程度であれば，視聴を大幅には阻害せず，且つ，発熱量を抑えることができ，ユーザーにＬＥＤの輝度が下がったことを認識させることができる。なお，このときメイン制御部１１は，図５（ｂ）に示すように，例えば「画面明るさを自動で下げます」との注意を表示させることが考えられる。これにより，当該モニタ部１の故障と勘違いされることが防止される。ところで，ＬＥＤ輝度の低下は予め定めた下限値を限度に行えばよい。例えば，下限のレベルは，ＬＥＤの特性的な発光限界である２０％であってもよい。そうすると，発熱量を大幅に削減できると共に，ユーザーは，装置を反転させざるを得なくなる。
また，下限のレベルを最大輝度の５０％程度としてもよい。そうすると，視聴には耐えられつつ，ユーザーに十分注意喚起できるからである。このような設定は，モニタ部１の接続ケーブルの関係で，どうしても反転して視聴することを容認する仕様の場合に有効である。
さらに，図５（ｂ）の表示としては，上下反転を容認する表現として，「画面の上下が逆です。このまま視聴続けると，画面の明るさが下がります。」であってもよいし，上下反転を強く勧める表現として，「画面の上下が逆です。このまま使用すると，製品の劣化が早くなることがあります。劣化を軽減するため画面の明るさを下げます。」であってもよい。
【００３３】
また，当該高温対策処理では，モニタ部１の上下が反転状態にある場合，メイン制御部１１は，前記所定時間ごとに徐々にＬＥＤ１６２ａの輝度を低下させる（Ｓ６のＹｅｓ側，Ｓ７）。そのため，急激にＬＥＤ１６２ａの輝度を低下させる場合のように当該モニタ部１の故障と勘違いされることが防止される。なお，前記ステップＳ７におけるＬＥＤ１６２ａの輝度の低下のタイミングは，モニタ部１において不図示の照度センサ（ＯＰＣセンサ）の検出結果に基づいて行われるＬＥＤ１６２ａの輝度制御と同時であることが考えられる。前記照度センサによる輝度制御と同時に行うことによって，ＬＥＤ１６２ａの輝度変化が一度で完了するので，ユーザーから見た違和感が少なくなる。
さらに，当該高温対策処理では，モニタ部１の上下が反転状態にある場合，メイン制御部１１は，前記所定時間ごとに前記ステップＳ３における警告表示が定期的に繰り返すため（Ｓ６のＹｅｓ側，Ｓ３），警告表示を見逃したユーザーに対して警告表示を確実に認識させることができる。
【００３４】
（ステップＳ５１）
なお，前記ステップＳ７においてＬＥＤ１６２ａの輝度が自動的に低下された後，モニタ部１におけるＬＥＤ１６２ａの位置が正しい既定の下端部に変化すると（Ｓ５のＮｏ側），続くステップＳ５１において，メイン制御部１１は，ステップＳ７で低下させたＬＥＤ１６２ａの輝度を復旧させ，処理をステップＳ１に戻す。
【００３５】
以上説明したように，モニタ部１では，メイン制御部１１によって前記高温対策処理が実行されることにより，モニタ部１におけるＬＥＤ１６２ａの位置が予め設定された位置でない場合にはその旨が報知され，さらにその状態が所定時間継続するとＬＥＤ１６２ａの輝度が自動的に低下する。これにより，モニタ部１におけるＬＥＤ１６２ａの上下の位置が逆になった場合に生じる該モニタ部１内の温度上昇を抑制することができる。もちろん，本実施の形態では，液晶パネル１６１におけるＬＥＤ１６２ａの既定の位置が下端部である場合を例に挙げて説明したが，逆にＬＥＤ１６２ａの既定の位置が上端部である場合も同様である。
また，本実施の形態では，警告表示及びＬＥＤ１６２ａの輝度の自動低下を共に行う場合を例に挙げて説明したが，いずれか一方のみを実行することも他の実施例として考えられる。
【００３６】
さらに，前記高温対策処理では，液晶パネル１６１におけるＬＥＤ１６２ａの位置が上端部であるか下端部であるかによってＬＥＤ輝度を調整することを説明したがこれに限らず，ＬＥＤ基板１６２ｂの本来の姿勢に対する傾きに応じてＬＥＤ輝度を低下させることも考えられる。これは，ＬＥＤ１６２ａの位置が完全に上下逆転していない場合には，予定していた放熱特性の効果が多少期待されるためである。
具体的に，ＬＥＤ基板１６２ｂが本来の姿勢にある場合を最大，ＬＥＤ基板１６２ｂの向きが上下反対である場合を最小としてＬＥＤ輝度を調整することが考えられる。例えば，ＬＥＤ基板１６２ｂが本来の姿勢に対して例えば４５°傾いているときや９０°傾いているときには，本来の姿勢にある場合よりも低く，上下が反対している場合よりも高い輝度になるように調整されることになる。
【産業上の利用可能性】
【００３７】
本発明は，映像表示装置やテレビジョン受像機への利用が可能である。
【符号の説明】
【００３８】
１  ：モニタ部（液晶表示装置）
２  ：クレードル部
３  ：放送受信アンテナ
４  ：商用交流電源
１１：メイン制御部
１２：無線送受信部
１２ａ：アンテナ
１３：データ処理部
１４：映像処理部
１５：音声処理部
１６：映像表示部
１６ａ：シャーシ（筐体）
１６１：液晶パネル
１６２：バックライト
１６２ａ：ＬＥＤ
１６２ｂ：ＬＥＤ基板
１６２ｃ：放熱板
１６２ｄ：導光板
１６３：傾斜角センサ
１７１：左スピーカ
１７２：右スピーカ
１８：有線インターフェース
２１：メイン制御部
２２：無線送受信部
２２ａ：アンテナ
２３：有線接続検出部
２４：映像処理部
２５：音声処理部
２６：チューナ
２７：外部入力部
２８：信号切換部
２９：ＯＳＤ制御部
３０：有線インターフェース
Ｘ  ：テレビジョン受像機
Ｙ  ：映像再生装置
【図１】
2012181399.tif 000003
【図２】
2012181399.tif 000004
【図３】
2012181399.tif 000005
【図４】
2012181399.tif 000006
【図５】
2012181399.tif 000007